(57)【要約】【課題】ＬＥＤ発光ユニットなどの発光ユニット本体部を器具本体部に取付けて使用する場合に、簡易な構成で作業性に優れ、且つ体裁のよい照明装置を提供する。【解決手段】ＬＥＤ基板３が透光性のカバー５で覆われた長尺状の発光ユニット本体部２を器具本体部１の収納部１１に収納して組立てる。器具本体部１の一端部には器具本体取付部材１６を取付け、発光ユニット本体部２の一端部には発光ユニット取付部材２０を取付ける。器具本体部１の一端部には器具本体側穴部１５を形成し、器具本体取付部材１６の器具本体側穴部１５に対応する位置に器具本体取付部材側穴部１７を形成する。発光ユニット取付部材２０のうち、器具本体側穴部１５及び器具本体取付部材側穴部１７に対応する位置に発光ユニット取付部材側穴部２１を形成し、穴部１５、１７及び２１に貫通部材１３を貫通して発光ユニット本体部２を器具本体部１に固定する。【選択図】図１
2017079204.tif 000002
【特許請求の範囲】
【請求項１】
複数の発光素子が配置された長尺状の発光素子基板が透光性のカバーで覆われた長尺状の発光ユニット本体部と、
前記発光ユニット本体部の長尺方向に長尺状で、前記発光ユニット本体部を収納する収納部が形成された器具本体部と、
前記器具本体部の前記長尺方向一方の端部に取付けられた器具本体取付部材と、
前記発光ユニット本体部の前記長尺方向一方の端部に取付けられた発光ユニット取付部材と、
を備え、
前記器具本体部の前記長尺方向一方の端部には器具本体側穴部が形成され、
前記器具本体取付部材の前記器具本体側穴部に対応する位置には器具本体取付部材側穴部が形成され、
前記発光ユニット本体部が前記器具本体部の収納部に収納された状態で、前記発光ユニット取付部材のうち、前記器具本体側穴部及び前記器具本体取付部材側穴部に対応する位置には発光ユニット取付部材側穴部が形成され、
前記器具本体側穴部、前記器具本体取付部材側穴部及び前記発光ユニット取付部材側穴部に貫通された貫通部材で前記発光ユニット本体部が前記器具本体部に固定される照明装置。
【請求項２】
前記器具本体側穴部及び前記器具本体取付部材側穴部は軸線が前記器具本体部の長尺方向に設定され、前記発光ユニット取付部材側穴部は軸線が前記発光ユニット本体部の長尺方向に設定された請求項１に記載の照明装置。
【請求項３】
前記貫通部材が雄ネジ部材である請求項２に記載の照明装置。
【請求項４】
前記発光ユニット本体部が前記器具本体部の収納部に収納された状態で、前記器具本体部の長尺方向外側から前記器具本体側穴部、前記器具本体取付部材側穴部、前記発光ユニット取付部材側穴部の順に配置され、前記発光ユニット取付部材側穴部がネジ穴である請求項３に記載の照明装置。
【請求項５】
前記器具本体部の前記長尺方向他方の端部に設けられた係合部と、
前記発光ユニット本体部の前記長尺方向他方の端部に取付けられた係合部材と、
を備え、
前記係合部材には前記発光ユニット本体部の前記長尺方向外側に向けて突出し且つ前記係合部に搭載されるようにして係合する係合突子が設けられた請求項１乃至４の何れか一項に記載の照明装置。
【請求項６】
長尺な照明装置を複数長尺方向に並べて天井位置に配列する場合、
請求項１乃至５の何れか一項に記載の照明装置を前記配列の方向の少なくとも何れか一方の端部に配置する照明装置の配置構造。
【請求項７】
前記貫通部材側の端部を前記配列の方向の外側端部に配置する請求項６に記載の照明装置の配置構造。
【請求項８】
複数の発光素子が配置された長尺状の発光素子基板が透光性のカバーで覆われた長尺状の発光ユニット本体部と、
前記発光ユニット本体部の前記長尺方向一方の端部に取付けられた発光ユニット取付部材と、
前記発光ユニット本体部の前記長尺方向他方の端部に取付けられた係合部材と、
を備え、
前記発光ユニット取付部材には発光ユニット取付部材側穴部が形成され、
前記係合部材には前記発光ユニット本体部の前記長尺方向外側に向けて突出する係止突子が設けられた発光ユニット。
【請求項９】
複数の発光素子が配置された長尺状の発光素子基板が透光性のカバーで覆われた長尺状の発光ユニット本体部と、前記発光ユニット本体部を収納して天井位置に配置する器具本体部と、を備えた照明装置において、
前記器具本体部は、
前記発光ユニット本体部を収納する長尺な本体部材と、
前記本体部材の長尺方向の一方の端部に取付けられる第１エンド部材と、
前記本体部材の長尺方向の他方の端部に取付けられる第２エンド部材と、を備え、
少なくとも２台の前記照明装置を前記天井位置に連ねて配置する際に、対向する一方の前記照明装置の前記第１エンド部材及び他方の前記照明装置の前記第２エンド部材の外面に、互いに係合する位置合わせ部を設けている照明装置。
【発明の詳細な説明】
【技術分野】
【０００１】
本発明は、複数の発光素子が配置された長尺状の発光素子基板で発光する照明装置に関し、例えば天井位置に取付けられた器具本体に装着して使用される照明装置に好適なものである。
【背景技術】
【０００２】
照明に用いる発光源として発光ダイオード（以下、ＬＥＤ（Light Emitting Diode））が発光素子として注目され、基板上に複数のＬＥＤを配置したＬＥＤ基板が発光素子基板として開発されている。照明装置としては、例えば下記特許文献１に記載されるように、複数のＬＥＤ（発光素子）を配置した長尺なＬＥＤ基板（発光素子基板）を用いたものが開発されている。この特許文献に記載される照明装置は、天井位置に取付けられた長尺な器具本体、具体的には反射板に長尺なＬＥＤ基板を直接的に取付け、このＬＥＤ基板の発光方向に透光性のカバーを装着して構成されている。
【先行技術文献】
【特許文献】
【０００３】
【特許文献１】実用新案登録第３１７０５３４号公報
【発明の概要】
【発明が解決しようとする課題】
【０００４】
しかしながら、特許文献１に記載される照明装置は、ＬＥＤ基板を器具本体である反射板に直接的に取付けて構成されているため、例えばＬＥＤ基板に支障が生じた場合、その交換が困難である。一方、ＬＥＤ基板を予め透光性カバーで覆ったＬＥＤ発光ユニットが種々に開発されている。例えば、特許文献１に記載されるような長尺なＬＥＤ基板を透光性カバーで覆った長尺な一体型の発光ユニットを例えば天井位置に取付けられた器具本体に取付けて照明装置を構成する場合、その取付作業性に優れることが望まれる。また、同時に、例えば長尺なＬＥＤ発光ユニットを用いた照明装置を複数長尺方向に並べて配置する場合、体裁のよさも求められる。勿論、照明装置としての構成が簡易であることも求められる。
【０００５】
本発明は、上記のような問題点に着目してなされたものであり、ＬＥＤ発光ユニットなどの発光ユニット本体部を器具本体部に取付けて使用する場合に、簡易な構成で作業性に優れ、且つ体裁のよい照明装置、照明装置の配置構造、及び発光ユニットを提供することを目的とするものである。
【課題を解決するための手段】
【０００６】
上記課題を解決するために、本発明の一態様によれば、複数の発光素子が配置された長尺状の発光素子基板が透光性のカバーで覆われた長尺状の発光ユニット本体部と、発光ユニット本体部の長尺方向に長尺状で、発光ユニット本体部を収納する収納部が形成された器具本体部と、器具本体部の長尺方向一方の端部に取付けられた器具本体取付部材と、発光ユニット本体部の長尺方向一方の端部に取付けられた発光ユニット取付部材と、を備え、器具本体部の長尺方向一方の端部には器具本体側穴部が形成され、器具本体取付部材の器具本体側穴部に対応する位置には器具本体取付部材側穴部が形成され、発光ユニット本体部が器具本体部の収納部に収納された状態で、発光ユニット取付部材のうち、器具本体側穴部及び器具本体取付部材側穴部に対応する位置には発光ユニット取付部材側穴部が形成され、器具本体側穴部、器具本体取付部材側穴部及び発光ユニット取付部材側穴部に貫通された貫通部材で発光ユニット本体部が器具本体部に固定される照明装置が提供される。
【０００７】
また、本発明の別の態様によれば、長尺な照明装置を複数長尺方向に並べて天井位置に配列する場合、本発明の一態様に係る照明装置を配列の方向の少なくとも何れか一方の端部に配置する照明装置の配置構造が提供される。
また、本発明の別の態様によれば、複数の発光素子が配置された長尺状の発光素子基板が透光性のカバーで覆われた長尺状の発光ユニット本体部と、発光ユニット本体部の長尺方向一方の端部に取付けられた発光ユニット取付部材と、発光ユニット本体部の長尺方向他方の端部に取付けられた係合部材と、を備え、発光ユニット取付部材には発光ユニット取付部材側穴部が形成され、係合部材には発光ユニット本体部の長尺方向外側に向けて突出する係止突子が設けられた発光ユニットが提供される。
【発明の効果】
【０００８】
本発明の照明装置、照明装置の配置構造、及び発光ユニットでは、簡易な構成にして作業性に優れ、しかも体裁がよい。
【図面の簡単な説明】
【０００９】
【図１】本発明の照明装置の第１実施形態を示す斜視図である。
【図２】図１の器具本体部の長尺方向一方の端部の分解斜視図である。
【図３】図１の器具本体部の長尺方向他方の端部の分解斜視図である。
【図４】図１の発光ユニットの長尺方向一方の端部の斜視図である。
【図５】図４の発光ユニット本体部に取付けられている発光ユニット取付部材の斜視図である。
【図６】図１の照明装置が組立てられている状態での長尺方向一方の端部の断面図である。
【図７】図１の発光ユニットの長尺方向他方の端部の斜視図である。
【図８】図７の発光ユニット本体部に取付けられている係合部材の斜視図である。
【図９】図１の照明装置が組み立てられている状態での長尺方向他方の端部の断面図である。
【図１０】図１の照明装置の組立説明図である。
【図１１】図１の照明装置の組立説明図である。
【図１２】図１の照明装置の配置説明図である。
【図１３】本発明の照明装置の第２実施形態を示す斜視図である。
【図１４】第２実施形態の器具本体部の第１エンド部材及び第２エンド部材の形状及び光源ユニットを外面から示した図である。
【図１５】第２実施形態の器具本体部の第１エンド部材及び第２エンド部材の形状を外面側から示した斜視図である。
【図１６】第２実施形態の器具本体部の第１エンド部材及び第２エンド部材の形状を内面側から示した斜視図である。
【図１７】少なくとも２台の照明装置を一直線上に連結するときに使用される連結部材を示す斜視図である。
【図１８】２台の照明装置を一直線上に連結するために一方の照明装置の第１エンド部材と他方の照明装置の第２エンド部材とを対向させた状態を示す斜視図である。
【図１９】２台の照明装置を一直線上に連結する際の一方の照明装置の第１エンド部材と他方の照明装置の第２エンド部材を拡大して示した図である。
【図２０】２台の照明装置を一直線上に連結した状態を示す図である。
【発明を実施するための形態】
【００１０】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１１】
［第１実施形態］
以下に、本発明の照明装置、照明装置の配置構造、発光ユニットの第１実施形態について図面を参照しながら説明する。図１には、第１実施形態の照明装置Ｓの斜視図を示す。
第１実施形態の照明装置Ｓは、例えば天井位置に取付けて使用されるものであり、天井位置に固定される器具本体部１と、この器具本体部１に取付けられる発光ユニットＬを備えて構成される。従って、器具本体部１に対して発光ユニットＬは室内側、つまり下方に配置される。発光ユニットＬは、前述した特許文献１と同様に、ＬＥＤを発光素子として用い、複数のＬＥＤを長尺なＬＥＤ基板（発光素子基板）に配置して光源とする。第１実施形態では、そのＬＥＤ基板３を長尺な支持部材４に取付け（図６参照）、ＬＥＤ基板３の発光側を長尺な透光性のカバー５で覆って発光ユニット本体部２が一体型に構成される。発光ユニット本体部２の長尺方向両端部は、端部閉塞部材６で閉塞される。周知のように、ＬＥＤはダイオードであるから直流電力を電源として発光する。第１実施形態では、支持部材４のカバー５と反対側面、つまり図１の上面にＬＥＤ用の電源回路７を一体的に備える。なお、ＬＥＤ用の電源回路７を発光ユニット本体部２と別体としてもよい。また、第１実施形態の発光ユニットＬは、発光ユニット本体部２の長尺方向一方の端部（図示左方端部）に後述する発光ユニット取付部材２０を取付け、発光ユニット本体部２の長尺方向他方の端部（図示右方端部）に後述する係合部材２２を取付けて一体的に構成される。
【００１２】
図２は、図１の器具本体部１の長尺方向一方の端部（図示左方端部）の分解斜視図であり、図３は、図１の器具本体部１の長尺方向他方の端部（図示右方端部）の分解斜視図である。第１実施形態の器具本体部１は、発光ユニット本体部２を収納するようにして取付けて天井位置に固定される長尺な本体部材８と、本体部材８の長尺方向一方の端部に取付けられる第１エンド部材９及び長尺方向他方の端部に取付けられる第２エンド部材１０を備えて構成される。これら本体部材８、第１エンド部材９及び第２エンド部材１０は、何れも金属製板材をプレス加工などにより切断・折り曲げて形成される。なお、器具本体部１や発光ユニット本体部２の長尺方向を統括して照明装置としての長尺方向と定義し、照明装置が天井位置に取付けられた状態で、この長尺方向と水平面内で直交する方向を幅方向と定義する。また、第１実施形態では、器具本体部１を天井位置に固定し、その下方に発光ユニット本体部２を取付けて使用するので、照明装置Ｓとしての上下方向は図面の上下方向に一致する。そのため、以下の説明では、図面の上下方向が照明装置Ｓの上下方向に一致するものとして説明する。
【００１３】
本体部材８は、幅広・長尺な金属製板材を図示下方に凸状の台形断面形状に形成し、その台形断面形状の短辺の部分を図示上方に窪ませて、発光ユニット本体部２を収納する収納部１１が形成されている。収納部１１を構成する本体部材８の天板部８ａには、例えば天井位置に配置されている吊りボルトを挿通するためのボルト挿通穴部８ｂが複数形成されている。このボルト挿通穴部８ｂに吊りボルトを挿通し、その挿通貫通部にナット部材を螺合して本体部材８、つまり器具本体部１が天井に固定される。この本体部材８の天板部８ａのうち、長尺方向両端部にあって幅方向中央部には、後述する器具本体取付部材１６を取付けるための固定用爪部１２が形成されている。また、本体部材８の天板部８ａには、天井内部の配線を引き込むための配線用穴部８ｃも形成されている。また、一般的な照明装置と同様に、本体部材８の台形断面形状の脚部部分は反射板８ｄを構成する。
【００１４】
本体部材８の長尺方向一方の端部（図２の図示左方端部）に取付けられる第１エンド部材９は、台形断面形状の本体部材８の長尺方向端部を覆う形状の側板部９ａを有し、本体部材８に第１エンド部材９を接合した状態で、例えば第１エンド部材９及び本体部材８に形成された爪部１４を互いに折り曲げ、加締めることで本体部材８に一体的に固定される。この第１エンド部材９の側板部９ａの幅方向中央部には、雄ネジ部材からなる貫通部材１３の雄ネジ部１３ａを貫通するための器具本体側穴部１５が形成されている。つまり、器具本体側穴部１５は、軸線が長尺方向に設定されている。なお、第１実施形態の雄ネジ部材からなる貫通部材１３には、手指で把持することができる把持部１３ｂが設けられている。
【００１５】
そして、このようにして構成される器具本体部１の長尺方向一方の端部には、第１エンド部材９よりも長尺方向内側の位置で、本体部材８から図示下方向きに突出するようにして器具本体取付部材１６が取付けられる。この器具本体取付部材１６は、略長方形の金属製板材を長手方向に折り曲げて構成され、本体部材８の天板部８ａと平行に取付けられる基部１６ａから図示下方向きに折り曲げて本体部１６ｂを形成し、その本体部１６ｂの図示下端部を長尺方向外側に向けてＬ字状に折り曲げて補強部１６ｃを形成している。この器具本体取付部材１６の基部１６ａの中央部には方形穴部１６ｄが形成されている。この方形穴部１６ｄに本体部材８の天板部８ａの長尺方向端部に形成された固定用爪部１２を折り曲げ、更に固定用爪部１２を器具本体取付部材１６の基部１６ａに加締めることで器具本体取付部材１６が本体部材８、つまり器具本体部１に固定されている。この器具本体取付部材１６が器具本体部１に固定された状態で、器具本体取付部材１６の本体部１６ｂのうち、側板部９ａの器具本体側穴部１５に対応する箇所には器具本体取付部材側穴部１７が形成されている。器具本体取付部材１６の本体部１６ｂは第１エンド部材９の側板部９ａと平行であるから、器具本体取付部材側穴部１７の軸線は、器具本体側穴部１５と同様に、長尺方向に設定されている。なお、第１エンド部材９の側板部９ａには、本体部材８の長尺方向端面が当接して第１エンド部材９と本体部材８の長尺方向の位置を規制するための規制膨出部９ｂが長尺方向内側に向けて突設されている。
【００１６】
一方、本体部材８の長尺方向他方の端部（図３の図示右方端部）に取付けられる第２エンド部材１０も、第１エンド部材９と同様に、台形断面形状の本体部材８の長尺方向端部を覆う形状の側板部１０ａを有し、本体部材８に第２エンド部材１０を接合した状態で、例えば第２エンド部材１０及び本体部材８に形成された爪部１４を互いに折り曲げ、加締めることで本体部材８に一体的に固定される。また、この第２エンド部材１０の側板部１０ａにも、第１エンド部材９と同様に、本体部材８の長尺方向端面が当接して第２エンド部材１０と本体部材８の長尺方向の位置を規制するための規制膨出部１０ｂが長尺方向内側に向けて突設されている。これに対し、この第２エンド部材１０の側板部１０ａの幅方向中央部には、第１エンド部材９のような器具本体側穴部１５が形成されていない。そして、第２エンド部材１０の側板部１０ａのうち、器具本体部１としての収納部１１に相当する幅方向中央部を長尺方向内側に折り曲げ、その折り曲げ先端部を更に図示上方に折り曲げて図示上向きの係合部１８が形成されている。この係合部１８は、後述する係合部材２２の係合突子２３が搭載されるようにして係合するものである。なお、この係合部１８の幅方向両端部には、切欠き部１９を介して爪部１４が形成されているが、この爪部１４自体は、前述の爪部１４と同様に、本体部材８上に折り曲げられ、加締められるものであって、切欠き部１９と共に係合部１８としては機能しない。
【００１７】
図４は、図１の発光ユニットＬの長尺方向一方の端部の斜視図であり、図５は、図４の発光ユニット本体部２に取付けられている発光ユニット取付部材２０の斜視図である。この発光ユニット取付部材２０は、略方形の金属製板材を折り曲げて構成され、発光ユニット本体部２の支持部材４と平行に取付けられる基部２０ａから図示上方向きにＬ字状に折り曲げて連絡部２０ｂを形成し、その連絡部２０ｂの長尺方向外側端部を図示下方に折り曲げて本体部２０ｃを形成している。この発光ユニット取付部材２０の基部２０ａの幅方向両端部には、発光ユニット本体部２の支持部材４から図示上方に突設された加締め部４ａを挿通する挿通穴部２０ｄが形成され、この挿通穴部２０ｄの夫々に加締め部４ａを挿通した後、加締め部４ａを図示上方から加締めて発光ユニット取付部材２０が発光ユニット本体部２の長尺方向一方の端部に固定される。また、この発光ユニット取付部材２０の連絡部２０ｂの幅方向両端部には、図示しない索条体を介して器具本体部１から吊り下げられた吊り下げ部材２４を連結するための連結穴部２０ｅが形成されている。
【００１８】
そして、この発光ユニット取付部材２０の本体部２０ｃの幅方向中央部にはネジ穴からなる発光ユニット取付部材側穴部２１が形成されている。図６は、図１の照明装置Ｓが組立てられている状態での長尺方向一方の端部の断面図である。このネジ穴からなる発光ユニット取付部材側穴部２１は、発光ユニット本体部２が器具本体部１の収納部１１に収納されている状態で、器具本体部１の第１エンド部材９に形成されている器具本体側穴部１５、及び器具本体取付部材１６に形成されている器具本体取付部材側穴部１７と対応する位置に形成されている。これら器具本体側穴部１５、器具本体取付部材側穴部１７、発光ユニット取付部材側穴部２１は、図１の照明装置Ｓが組立てられている状態、つまり発光ユニット本体部２が器具本体部１の収納部１１に収納されている状態で、長尺方向外側から、この順に配置されている。長尺方向で最も内側に位置する発光ユニット取付部材側穴部２１はネジ穴であるから、図６に示すように、器具本体部１の長尺方向外側から器具本体側穴部１５、器具本体取付部材側穴部１７の順に雄ネジ部材からなる貫通部材１３の雄ネジ部１３ａを貫通し、その雄ネジ部１３ａを発光ユニット取付部材側穴部２１に螺合し締め付ける（貫通部材１３としては貫通する）ことで発光ユニット本体部２が器具本体部１に固定される。
【００１９】
図７は、図１の発光ユニットＬの長尺方向他方の端部の斜視図であり、図８は、図７の発光ユニット本体部２に取付けられている係合部材２２の斜視図である。この係合部材２２は、幅方向に長手な金属製板材を長手方向に折り曲げて構成され、幅方向両端部を発光ユニット本体部２の支持部材４と平行に取付けられる基部２２ａとし、その幅方向中央部を断面コ字状に立ち上げて、支持部材４と垂直な連絡部２２ｂ及び連絡部２２ｂと垂直で且つ支持部材４と平行な本体部２２ｃを構成している。この係合部材２２の２つの基部２２ａの夫々には、発光ユニット本体部２の支持部材４から図示上方に突設された加締め部４ａを挿通する挿通穴部２２ｄが形成され、この挿通穴部２２ｄの夫々に加締め部４ａを挿通した後、加締め部４ａを図示上方から加締めて係合部材２２が発光ユニット本体部２の長尺方向他方の端部に固定される。また、この係合部材２２の連絡部２２ｂの夫々には、図示しない索条体を介して器具本体部１から吊り下げられた吊り下げ部材２４を連結するための連結穴部２２ｅが形成されている。
【００２０】
そして、この係合部材２２の本体部２２ｃの幅方向両端部からは、夫々、長尺方向外側に向けて係合突子２３が突設されている。この係合突子２３は、係合部材２２の本体部２２ｃから突設されて支持部材４と平行な平坦片２３ａと係合部材２２の連絡部２２ｂから突設されて支持部材４と垂直な垂直片２３ｂとで断面Ｌ字状に形成されている。更に、垂直片２３ｂの突出先端部は先端が図示上方に傾斜するテーパ面となっており、そのテーパ面の長尺方向内側には僅かに下方に突出する係合凸部２３ｃが形成されている。図９は、図１の照明装置Ｓが組み立てられている状態での長尺方向他方の端部の断面図である。図９から分かるように、この係合部材２２の係合突子２３は、器具本体部１の第２エンド部材１０から長尺方向内側に向けて突設された上向きの係合部１８に搭載されるようにして係合するものである。後述するように、第１実施形態の発光ユニット本体部２を器具本体部１の収納部１１に収納する際には、係合部材２２が取付けられている発光ユニット本体部２の長尺方向他方の端部を先に下方から斜め上向きに収納部１１内に差し込む。その際、係合突子２３の垂直片２３ｂのテーパ面が発光ユニット本体部２の係合部１８の上面を滑るようにして係合突子２３が係合部１８に搭載される。係合突子２３が係合部１８に対して適正な位置まで差し込まれると、係合部１８の長尺方向外側角隅部が係合突子２３の係合凸部２３ｃと係合して両者の係合が容易に外れなくなる。
【００２１】
図１０、図１１は、第１実施形態の発光ユニット本体部２を器具本体部１に組立てる場合の組立説明図である。第１実施形態の発光ユニット本体部２を器具本体部１に取付ける場合には、器具本体部１が天井位置に固定されている状態で、図１０に示すように、係合部材２２が取付けられている長尺方向他方の端部を斜め上向きにして発光ユニット本体部２を器具本体部１の収納部１１に差し込む。このとき、発光ユニット本体部２の長尺方向他方の端部に取付けられている係合部材２２を器具本体部１の第２エンド部材１０の係合部１８に向ける。これにより発光ユニット本体部２に取付けられている係合部材２２の係合突子２３が器具本体部１の係合部１８に搭載されるようにして係合する。然る後、図１１に示すように、発光ユニット取付部材２０が取付けられている発光ユニット本体部２の長尺方向一方の端部を上方に押し上げる。すると、係合突子２３と係合部１８との係合部位を中心として発光ユニット本体部２が回転し、発光ユニット本体部２が器具本体部１の収納部１１に収納される。この状態で、発光ユニット本体部２に取付けられている発光ユニット取付部材２０が器具本体取付部材１６の長尺方向内側に配置されるので、器具本体側穴部１５、器具本体取付部材側穴部１７に雄ネジ部材からなる貫通部材１３の雄ネジ部１３ａを貫通し、ネジ穴からなる発光ユニット取付部材側穴部２１に螺合しながら貫通し締め付けることで発光ユニット本体部２が器具本体部１に固定される。
【００２２】
図１２は、図１の照明装置Ｓの配置説明図である。室内天井位置における照明装置の配置構造としては、長尺な照明装置を複数長尺方向に並べて天井位置に配列することが多い。これは、室内照明の効率と共に美観を高めるためでもある。この場合、隣合う照明装置を可能な限り接近又は当接させて配列するとより一層体裁がよい。前述のように、第１実施形態の照明装置Ｓは、一般的なＬＥＤ照明装置よりも発光ユニット本体部２を器具本体部１に取付ける作業性に優れている。そこで、図１２に示すように、第１実施形態の照明装置Ｓを照明装置配列方向の端部に配置すると、第１実施形態の照明装置Ｓの取付作業性が活かされる。特に、貫通部材１３が貫通される側の端部を照明装置配列方向の外側端部に配置することで、第１実施形態の照明装置Ｓの取付作業性が一段と発揮される。また、配列方向端部に配置される第１実施形態の照明装置Ｓの長尺方向寸法を、他の照明装置Ｓ0の長尺方向寸法よりも小さくすることで、照明装置全体のレイアウトの自由度が高まり、同時に、第１実施形態の照明装置Ｓの取付作業性も向上する。
【００２３】
このように、第１実施形態の照明装置及び発光ユニットでは、複数のＬＥＤ（発光素子）が配置された長尺状のＬＥＤ基板（発光素子基板）３が透光性のカバー５で覆われた長尺状の発光ユニット本体部２を、発光ユニット本体部２の長尺方向に長尺状な器具本体部１の収納部１１に収納して組立てる。器具本体部１の長尺方向一方の端部には器具本体取付部材１６を取付け、発光ユニット本体部２の長尺方向一方の端部には発光ユニット取付部材２０を取付ける。器具本体部１の長尺方向一方の端部には器具本体側穴部１５を形成し、器具本体取付部材１６の器具本体側穴部１５に対応する位置には器具本体取付部材側穴部１７を形成する。また、発光ユニット本体部２が器具本体部１の収納部１１に収納された状態で、発光ユニット取付部材２０のうち、器具本体側穴部１５及び器具本体取付部材側穴部１７に対応する位置には発光ユニット取付部材側穴部２１を形成する。そして、器具本体側穴部１５、器具本体取付部材側穴部１７及び発光ユニット取付部材側穴部２１に貫通部材１３を貫通することで発光ユニット本体部２を器具本体部１に固定する。従って、発光ユニット本体部２を器具本体部１の収納部１１に収納しながら器具本体側穴部１５、器具本体取付部材側穴部１７、及び発光ユニット取付部材側穴部２１に貫通部材１３を貫通するだけで、発光ユニット本体部２を器具本体部１に固定することができる。これにより、簡易な構成にして取付作業性に優れる照明装置を提供することができる。
【００２４】
また、器具本体側穴部１５及び器具本体取付部材側穴部１７の軸線を器具本体部１の長尺方向に設定し、発光ユニット取付部材側穴部２１の軸線を発光ユニット本体部２の長尺方向に設定する。これにより、例えば器具本体部１を天井位置に固定するような場合であっても、各穴部１５、１７、２１に貫通部材１３を貫通することで発光ユニット本体部２の落下を防止しながら作業性を確保することができる。
また、貫通部材１３を雄ネジ部材とすることにより、発光ユニット本体部２と器具本体部１との固定を確実なものとすることができると共に、雄ネジ部材からなる貫通部材１３を繰り返し使用することができる。
【００２５】
また、発光ユニット本体部２が器具本体部１の収納部１１に収納された状態で、器具本体部１の長尺方向外側から器具本体側穴部１５、器具本体取付部材側穴部１７、発光ユニット取付部材側穴部２１の順に配置し、発光ユニット取付部材側穴部２１をネジ穴とすることにより、雄ネジ部材からなる貫通部材１３を貫通し易く、且つネジ穴からなる発光ユニット取付部材側穴部２１への螺合・締付けが容易となる。
また、器具本体部１の長尺方向他方の端部に係合部１８を設けると共に、発光ユニット本体部２の長尺方向他方の端部に係合部材２２を取付け、この係合部材２２には発光ユニット本体部２の長尺方向外側に向けて突出し且つ係合部１８に搭載されるようにして係合する係合突子２３を設ける。これにより、簡易な構成にして、発光ユニット本体部２を器具本体部１に取付ける作業の作業性がより一層向上する。
【００２６】
また、第１実施形態の照明装置の配置構造では、長尺な照明装置を複数長尺方向に並べて天井位置に配列する場合、第１実施形態の照明装置Ｓを配列方向の少なくとも何れか一方の端部に配置することで、照明装置取付作業の作業性を向上することができると共に、レイアウトの自由度が高まり、体裁もよい。
また、貫通部材１３側の端部を配列の方向の外側端部に配置することで、照明装置取付作業の作業性を確保することができる。
【００２７】
［第２実施形態］
次に、本発明の照明装置、照明装置の配置構造の第２実施形態について図面を参照しながら説明する。なお、図１から図１２で示した本発明の第１実施形態の装置と同一構成部分は、同一符号を付してその説明は省略する。
図１３は、第２実施形態の照明装置Ｓ１の斜視図を示す。
第１実施形態の照明装置Ｓと同様に、第２実施形態の照明装置Ｓ１も天井位置に取付けて使用されるものであり、天井位置に固定される器具本体部３１と、この器具本体部３１に取付けられる発光ユニットＬを備えて構成される。器具本体部３１に対して発光ユニットＬは室内側、つまり下方に配置される。
【００２８】
第２実施形態の器具本体部３１は、発光ユニット本体部２を収納するようにして取付けて天井位置に固定される長尺な本体部材３２と、本体部材３２の長尺方向一方の端部に取付けられる第１エンド部材３３及び長尺方向他方の端部に取付けられる第２エンド部材３４を備えて構成される。
本体部材３２は、金属製板材をプレス加工などにより切断・折り曲げて形成される。
また、第１エンド部材３３及び第２エンド部材３４は、樹脂材料又は金属製板材で形成される。
【００２９】
なお、器具本体部３１や発光ユニット本体部２の長尺方向を統括して照明装置としての長尺方向と定義し、照明装置が天井位置に取付けられた状態で、この長尺方向と水平面内で直交する方向を幅方向と定義する。また、第２実施形態では、器具本体部３１を天井位置に固定し、その下方に発光ユニット本体部２を取付けて使用するので、照明装置Ｓ１としての上下方向は図面の上下方向に一致する。そのため、以下の説明では、図面の上下方向が照明装置Ｓ１の上下方向に一致するものとして説明する。
本体部材３２は、幅広・長尺な金属製板材を図示上方に凸状の台形断面形状に形成して収容部３５が形成されているとともに、収容部３５の幅方向の両縁部から互いに末広がりに延在する一対の笠部３６が形成されている。
【００３０】
収容部３５を構成する本体部材３２の天板部３２ａには、天井内部の配線を引き込むための配線用穴部３２ｂが形成されている。また、配線用穴部３２ｂには配線を傷つけないようにする為に丸穴保護ブッシュ３２ｃが形成されている。
また、照明装置Ｓ１を天井内部からの吊りボルト（図示なし）で天井などに固定する為に、天井内部からの吊りボルトを挿入する、吊りボルト用穴部３２ｄが形成されている。
ここで、本体部材３２の発光ユニットＬ側に電源端子台３２ｅを設置し、また調光端子台（不図示）を設置しても良い。
【００３１】
図１４は、器具本体部３１の長尺方向一方の端部に取付けられる第１エンド部材３３と、長尺方向他方の端部に取付けられる第２エンド部材３４とを外面側から示したものであり、これら第１エンド部材３３及び第２エンド部材３４は同一形状の部材である。
図１５及び図１６に示すように、第１エンド部材３３及び第２エンド部材３４は、収容カバー部３７と、一対の笠カバー部３８と、固定部３９と、一対の連結用位置合わせ部４０，４１と、一対の発光ユニット用位置決め凹部４２と、照明装置連結部４３と、を備えた部材である。
【００３２】
収容カバー部３７は、本体部材３２の台形断面形状の収容部３５を覆うように四角形状に形成されている。
一対の笠カバー部３８は、収容カバー３７の短尺方向の縁部から斜め下方に延在して形成され、一対の笠部３６に沿って延在する構造とされている。
固定部３９は、一対の笠カバー部３８の内面から笠カバー部３８に直交する方向に突出して形成された板材であり、固定ビスを介して収容部３５の壁面に固定される。
一対の連結用位置合わせ部４０，４１は、図１４に示すように、収容カバー部３７の幅方向を二分割した中心線Ｃに対して線対称となる位置の収容カバー部３７の外面に形成されており、一方の連結用位置合わせ部４０は凹形状の部位であり、他方の連結用位置合わせ部４１は、一方の連結用位置合わせ部４０（凹形状）に嵌まり込む凸形状の部位である。また、連結用位置合わせ部４０は凸形状、連結用位置合わせ部４１は凹形状であっても良い。また、凹形状及び凸形状の位置は、剛性が確保できる収容カバー部３７が好ましい。
【００３３】
一対の発光ユニット用位置決め凹部４２は、収容カバー部３７及び一対の笠カバー部３８の境界部に形成されており、発光ユニット本体部２の長尺方向両端部に装着されている端部閉塞部材６の幅方向の縁部が、発光ユニット用位置決め凹部４２に嵌まり込むことで、発光ユニット本体部２の位置決めが完了するようになっている。
照明装置連結部４３は、一対の笠カバー部３８の上端から笠カバー部３８の板厚に直交する内面側に突出した部位である。そして、少なくとも２台の照明装置Ｓ１を天井位置に一直線上に連ねて配置する場合には、図２０に示すように、互いに対面させた第１エンド部材３３及び第２エンド部材３４の照明装置連結部４３が、連結部材４５で連結される。
【００３４】
連結部材４５は、図１７に示すように、横断面略Ｃ形状の部材であり、長手方向に連続して開口部４５ａが形成されているとともに、開口部４５ａを挟んで互いに対向する位置に一対の係合凹部４５ｂ，４５ｃが形成されている。
ここで、器具本体部３１の本体部材３２の内面には、図１３に示すように、発光ユニットＬを着脱自在に装着するためのバネ金具４６が装着される。このバネ金具４６は、バネ４７と、バネ４７を支持するバネ支持部４８と、バネ４７の弾性力によって本体部材３２側へ押圧するアーム部４９とを備えている。
【００３５】
また、第２実施形態の発光ユニットＬは、図１３に示すように、発光ユニット本体部２の長尺方向両端部にバネ係止具５０が固定されており、器具本体部３１に設けたバネ金具４６のアーム部４９をバネ係止具５０に係止することで、発光ユニット本体部２の長尺方向両端部に装着されている端部閉塞部材６の幅方向の縁部が、発光ユニット用位置決め凹部４０に嵌まり込んで発光ユニット本体部２の位置決めが完了しながら、発光ユニットＬが器具本体部３１に取付けられる。
次に、２台の照明装置を天井位置に一直線上に連ねて配置する手順について、図１８から図２０を参照して説明する。
【００３６】
図１８及び図１９に示すように、一方の照明装置Ｓ１Ａの第２エンド部材３４と、他方の照明装置Ｓ１Ｂの第１エンド部材３３との外面同士を重ねて配置する。そして、一方の照明装置Ｓ１Ａの第２エンド部材３４の凹形状の連結用位置合わせ部４０を、他方の照明装置Ｓ１Ｂの第１エンド部材３３の凸形状の連結用位置合わせ部４１に合わせ、一方の照明装置Ｓ１Ａの第２エンド部材３４の凸形状の連結用位置合わせ部４１を、他方の照明装置Ｓ１Ｂの第１エンド部材３３の凹形状の連結用位置合わせ部４０に合わせる。
このような動作により、一方の照明装置Ｓ１Ａ及び他方の照明装置Ｓ１Ｂの幅方向の位置決めが完了したので、図２０で示すように、互いに対面させた第１エンド部材３３及び第２エンド部材３４の照明装置連結部４３同士を、連結部材４５の一対の係合凹部４５ｂ，４５ｃの内部に嵌め込むことで、連結部材４５を介して２台の照明装置Ｓ１Ａ，Ｓ１Ｂを一直線上に連結する。
【００３７】
このように、第２実施形態の照明装置では、器具本体部３１を構成する本体部材３２の長尺方向一方の端部に取付けられる第１エンド部材３３及び長尺方向他方の端部に取付けられる第２エンド部材３４は、収容カバー部３７及び一対の笠カバー部３８の境界部に一対の発光ユニット用位置決め凹部４２が形成されており、発光ユニット本体部２の長尺方向両端部に装着されている端部閉塞部材６の幅方向の縁部が、発光ユニット用位置決め凹部４２に嵌まり込むことで、発光ユニット本体部２の位置決めが完了するようになっている。したがって、器具本体部３１に対する発光ユニット本体部２の位置決めを正確に行うことができる。
【００３８】
また、少なくとも２台の照明装置Ｓ１Ａ、Ｓ１Ｂを天井位置に一直線上に連ねて配置する場合には、一方の照明装置Ｓ１Ａの第２エンド部材３４の連結位置合わせ部４０，４１と、他方の照明装置Ｓ１Ｂの第１エンド部材３３の連結位置合わせ部４０，４１とを互いに係合させるようにしたので、２台の照明装置Ｓ１Ａ、Ｓ１Ｂを、位置ずれを起こさずに一直線に整列させて天井位置に配置することができる。
また、連結位置合わせ部４０，４１は凹部と凸部で構成しているので、２台の照明装置Ｓ１Ａ、Ｓ１Ｂを、簡単に一直線に整列させることができる。
【００３９】
また、第１エンド部材３３及び第２エンド部材３４は、互いの収容カバー部３７の外面が同一形状であり、収容カバー部３７の幅方向を二分割した中心線Ｃに対して線対称となる位置の収容カバー部３７の外面に形成されているので、第１エンド部材３３及び第２エンド部材３４の部品コストの低減化を図ることができる。また、第１エンド部材３３及び第２エンド部材３４は、幅方向に２箇所の連結位置合わせ部４０，４１が形成されているので、幅方向の傾きの矯正も行うことができる。
さらに、器具本体部３１を構成する本体部材３２は、幅広・長尺な金属製板材を凸状の台形断面形状に形成して収容部３５が形成されているとともに、収容部３５の幅方向の両縁部から互いに末広がりに延在する一対の笠部３６が形成されているが、第１エンド部材３３及び第２エンド部材３４は、収容部３５に連結する収容カバー部３７と、一対の笠部３６に連結する一対の笠カバー部３８とを備えているので、器具本体部３１の長尺方向の開口部を確実に閉塞することができる。
【００４０】
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００４１】
１  器具本体部
２  発光ユニット本体部
３  ＬＥＤ基板
４  支持部材
５  カバー
６  端部閉塞部材
７  電源回路
８  本体部材
９  第１エンド部材
１０  第２エンド部材
１１  収納部
１２  固定用爪部
１３  貫通部材（雄ネジ部材）
１４  爪部
１５  器具本体側穴部
１６  器具本体取付部材
１７  器具本体取付部材側穴部
１８  係合部
１９  切欠き部
２０  発光ユニット取付部材
２１  発光ユニット取付部材側穴部
２２  係合部材
２３  係合突子
３１  器具本体部
３２  本体部材
３２ａ  天板部
３２ｂ  配線用穴部
３２ｃ  丸穴保護ブッシュ
３２ｄ  吊りボルト用穴部
３２ｅ  電源端子台
３３  第１エンド部材
３４  第２エンド部材
３５  収容部
３６  笠部
３７  収容カバー部
３８  笠カバー部
３９  固定部３９
４０，４１  連結用位置合わせ部
４２  発光ユニット用位置決め凹部
４３  照明装置連結部
４５  連結部材
４５ａ  開口部
４５ｂ，４５ｃ  係合凹部
４６  バネ金具
４７  バネ
４８  バネ支持部
４９  アーム部
５０  バネ係止具
Ｓ  照明装置
Ｓ１，Ｓ１Ａ，Ｓ１Ｂ  照明装置
Ｌ  発光ユニット
【図１】
2017079204.tif 000003
【図２】
2017079204.tif 000004
【図３】
2017079204.tif 000005
【図４】
2017079204.tif 000006
【図５】
2017079204.tif 000007
【図６】
2017079204.tif 000008
【図７】
2017079204.tif 000009
【図８】
2017079204.tif 000010
【図９】
2017079204.tif 000011
【図１０】
2017079204.tif 000012
【図１１】
2017079204.tif 000013
【図１２】
2017079204.tif 000014
【図１３】
2017079204.tif 000015
【図１４】
2017079204.tif 000016
【図１５】
2017079204.tif 000017
【図１６】
2017079204.tif 000018
【図１７】
2017079204.tif 000019
【図１８】
2017079204.tif 000020
【図１９】
2017079204.tif 000021
【図２０】
2017079204.tif 000022